(57)【特許請求の範囲】
【請求項１】
固定台に棒灸を固定する棒灸保持具において、
固定台に棒灸を直接取り付けるシート状の棒灸挟持バンドと、
前記バンドを固定台に固定するための複数のベルトとから構成されている棒灸保持具。
【請求項２】
固定台に棒灸を固定する棒灸保持具において、
固定台との間に、棒灸を保持する棒灸保持用のクリップを挟持するためのクリップ挟持棒と、
前記クリップ挟持棒を固定台に固定するための複数のベルトとから構成されている棒灸保持具。
【請求項３】
固定台に棒灸を固定する棒灸保持具において、
固定台に取り付けられたアーム部と、
前記アーム部の先端に取り付けられる棒灸を保持する先端保持部からなる棒灸保持具。
【発明の詳細な説明】
【技術分野】
【０００１】
本発明は、鉛筆大の棒状もぐさ（以下、棒灸という）を固定台に固定することを目的とする。長時間の棒灸使用で、施灸効果を高めるため、棒灸使用時に、第三者（以下、施術者という）または患者自身が保持することなく、棒灸の一端を固定し、体表面上のツボ（経穴）の近辺に固定する棒灸保持具に関するものである。
【背景技術】
【０００２】
従来、施術者または患者自身が棒灸を保持しながら、ツボに直接触れないように、灸による熱の刺激で施術をしていた。つまり、棒灸自体を移動させ、ツボに近づけることによって施術をしていた。
【先行技術文献】
【特許文献】
【０００３】
【特許文献１】特開平８−６６４５７号公報
【特許文献２】特開２００４−１２１７７６号公報
【発明の概要】
【発明が解決しようとする課題】
【０００４】
従来の棒灸使用方法には、次のような欠点があった。
１．施術者または患者自身が、棒灸をツボ上に数分から１時間程度施術する場合、長時間同じ位置で保持できず、施灸効果を高められなかった。
２．お灸の熱さは患者自身にしかわからないので、施術者が患者の皮膚に棒灸を近づけ過ぎて火傷をおこしたり、逆に離し過ぎてお灸の熱刺激が不十分であったりした。
３．患者自身でなく施術者に施灸される場合、患者には自分で棒灸の熱刺激を調節できないので、火傷や灸痕に対する恐怖心があった。
４．棒灸による施灸は、通常同時に２ヶ所以上することはなく、両手や両足などを同時に施灸することが困難であり、施灸時間を短縮することができなかった。また、２ヶ所以上の効果的なツボに対し、同時に施灸することによる効果を試すことができなかった。
本発明は、棒灸を固定台に固定しているため、患者自身が体を近づけたり遠ざけたりして熱刺激を調節でき、以上のような欠点をなくすことができる。
【課題を解決するための手段】
【０００５】
本発明の棒灸保持具は、固定台に固定することを特徴とする。
【０００６】
また、本発明の棒灸保持具は、固定台に棒灸を直接取り付けるシート状の棒灸挟持バンドと、バンドを固定台に固定するための複数のベルトとから構成されていてもよい。
【０００７】
また、本発明の棒灸保持具は、固定台との間に、棒灸を保持する棒灸保持用のクリップを挟持するためのクリップ挟持棒と、クリップ挟持棒を固定台に固定するための複数のベルトとから構成されていてもよい。
【０００８】
また、本発明の棒灸保持具は、固定台に取り付けられたアーム部と、アーム部の先端に取り付けられる棒灸を保持する先端保持部から構成されていてもよい。
【発明の効果】
【０００９】
以上説明したように、この発明によれば、
１．施術者でなく患者自身でできるので、施術所ではなく灸師の指導により自宅で行うことができる。よって、経済的・距離的・体力的・時間的な問題等で断念することが少なくなり、施灸効果を持続でき、逆子・不妊・冷え性・生理痛・生理不順などの婦人科系の疾患、一般的な腰痛・肩こり、慢性的な疾患など、広範囲な疾患に対して応用範囲が格段に広まる。
２．本発明の棒灸保持具を利用して施灸する場合、たとえば従来１時間かかっていた施灸時間が、両手・両足など２ヶ所に２台使用して同時施灸すれば３０分で、４台で４ヶ所のツボ刺激なら１５分で施灸できることになり、施灸時間を大幅に短縮できる。
３．棒灸を固定台に固定することにより、施術者または患者が保持することがないので、患者自身が楽な姿勢で、長時間のお灸の熱刺激を効果的に加えられる。
４．施術者が施灸しないので、患者自身が火傷をおこさないように、自分自身の体を棒灸に近づけたり遠ざけたりして、お灸の熱さを自分で調節でき、施灸に対する恐怖心を軽減できる。
５．小型にすれば、簡単に持ち運ぶことができ、施術所や自宅などの多くの場所で使用できる。
６．自由に棒灸の角度や高さを調節して固定することができ、継続して体表面上のツボに対し、正確に施灸することができる。
【図面の簡単な説明】
【００１０】
【図１】実施例１のバンド式棒灸保持具を示す斜視図
【図２】実施例２のクリップ式棒灸保持具を示す斜視図
【図３】実施例３の板状アーム式棒灸保持具を示す斜視図
【図４】実施例３の棒灸保持具のU字形先端保持部を示す斜視図
【図５】実施例３の棒灸保持具のクリップ形先端保持部を示す斜視図
【図６】実施例３の棒灸保持具の帯状形先端保持部を示す斜視図
【図７】実施例４の湾曲可能アーム式棒灸保持具を示す斜視図
【図８】実施例５のスライドアーム式棒灸保持具を示す斜視図
【発明を実施するための形態】
【００１１】
以下、図を用いて実施例を説明する。
【実施例１】
【００１２】
バンド式棒灸保持具１００は、図１のように、ベルト６の高さを調整し易い円柱または四角い柱状などの形状をした固定台３に、シート状の棒灸挟持バンド４にあるリング５の穴にベルト６を通し、棒灸挟持バンド４で棒灸１を固定台３に固定するように、構成されている。
【００１３】
固定台３の表面はベルト６が滑りにくい材質を使用してもよい。
【００１４】
固定台３に固定するベルト６の位置を、あらかじめ手・足・体幹などの表面上にあるツボの高さ近くに調整し、棒灸１を固定台３と棒灸挟持バンド４の間にはさみ、棒灸１の先端の燃焼部２に火をつけ、その燃焼部２が正確なツボの位置になるように、棒灸１の高さと角度を微調整して施灸する。
【実施例２】
【００１５】
クリップ式棒灸保持具２００は、図２のように実施例１と同様に、固定台３に、ベルト６で棒灸保持用クリップ８をクリップ挟持棒７で固定するように構成されている。
【００１６】
固定台３の表面はベルト６が滑りにくい材質を使用してもよい。
【００１７】
固定台３に固定するベルト６の位置を、あらかじめ手・足・体幹などの表面上にあるツボの高さ近くに調整し、棒灸１をはさんだ棒灸保持用のクリップ８を、クリップ挟持棒７と固定台３の間にはさみ、ベルト６で固定台３に固定する。そして、棒灸１の先端に火をつけ、その燃焼部２が正確なツボの位置になるように、棒灸１の高さと角度を微調整して施灸する。
【実施例３】
【００１８】
板状アーム式棒灸保持具３００は、図３のように、棒灸を固定台に固定するのではなく、固定台１３と、アーム部３５０と、アーム部３５０の先端に取り付けられたU字形先端保持部４００によって構成される。
【００１９】
アーム部３５０について説明する。アーム部３５０は、アーム板１１、アーム板１１を固定台１３に取り付ける取り付けネジ１２、L字形アーム板９、L字形アーム板９を取り付ける蝶ネジ１０a、によって構成される。アーム板１１とL字形アーム板９は  、蝶ネジ１０aで回転可能なように取り付けられている。アーム板１１は、固定台１３に取り付けネジ１２で取り付けられ、U字形先端保持部４００はL字形アーム板９に取り付けられている。
【００２０】
アーム板１１は固定台１３に取り付けられる。さらに、アーム板１１に取り付けられたL字形アーム板９を蝶ネジ１０aを支点に回転させることによって棒灸１の高さを調整する。次に、L字形アーム板９の先端部分に取り付けられたU字形先端保持部４００の横方向の回転角度を微調整して、正確なツボの位置になるように棒灸１の位置を決め、固定して燃焼部２で施灸する。
【００２１】
アーム部３５０の先端部分に取り付ける先端保持部について説明する。アーム部３００の先端部分に取り付ける先端保持部の種類については、図４、図５、図６によって説明する。
【００２２】
なお、L字形アーム板９の先端部分に取り付けられた、U字形先端保持部４００、クリップ形先端保持部５００、帯状形先端保持部６００は、いずれも棒灸１の横方向の角度を微調整するために用いるものである。
【００２３】
U字形先端保持部４００は、図４のように、U字形棒灸止め具１４、棒灸保持板１５、蝶ネジ１０b、蝶ネジ１０cよって構成される。U字形棒灸止め具１４が蝶ネジ１０bを支点に横方向に回転することができる。蝶ネジ１０cは棒灸１を固定するために用いる。
【００２４】
U字形先端保持部４００によって保持された棒灸１の横方向の角度を微調整して、正確なツボの位置になるように棒灸１の位置を決め、固定して燃焼部２で施灸する。
【００２５】
クリップ形先端保持部５００は、図５のように、クリップ形棒灸止め具１７、ネジ止め１８aによって構成される。
【００２６】
クリップ形先端保持部５００によって保持された棒灸１の角度を、ネジ止め１８aを支点にしてクリップ形棒灸止め具１７を横方向に回転させることによって微調整して、正確なツボの位置になるように棒灸１の位置を決め、固定して施灸する。
【００２７】
帯状形先端保持部６００は、図６のように、帯状形棒灸止め具１９、ネジ止め１８a、ネジ止め１８bによって構成される。
【００２８】
帯状形先端保持部６００の角度を、ネジ止め１８aを支点にして帯状形棒灸止め具１９を横方向に回転させることによって微調整して、正確なツボの位置になるように棒灸１の位置を決め、固定して施灸する。なお、ネジ止め１８bを締めることによって帯状形棒灸止め具１９で棒灸１をしっかり保持する。
【実施例４】
【００２９】
湾曲可能アーム式棒灸保持具７００は、図７のように、棒灸を固定台に固定するのではなく、固定台１３と、湾曲可能なアーム部７５０と、アーム部７５０の先端に取り付けられたU字形先端保持部４００によって構成される。
【００３０】
アーム部７５０について説明する。アーム部７５０は、湾曲可能アーム棒２５、湾曲可能アーム棒２５を固定台１３に取り付け又は取り付け板２３を湾曲可能アーム棒２５に取り付ける取り付けネジ１２、L字形アーム板９、L字形アーム板９を取り付け板２３に取り付ける蝶ネジ１０a、によって構成される。L字形アーム板９は、蝶ネジ１０aを支点に回転させることによって棒灸１の高さを調整することができる。
【００３１】
湾曲可能アーム棒２５は固定台１３に取り付けられる。湾曲可能アーム棒２５を自在に湾曲させることによって、棒灸１のおおまかな高さや角度を調整する。さらに湾曲可能アーム棒２５に取り付けられたL字形アーム板９で棒灸１の高さや角度を微調整する。次に、L字形アーム板９の先端部分に取り付けられたU字形先端保持部４００の角度を微調整して、正確なツボの位置になるように棒灸１の位置を決め、固定して燃焼部２で施灸する。
【００３２】
アーム部７５０の先端部分に取り付けるU字形先端保持部４００のかわりに、実施例３の板状アーム式棒灸保持具３００に用いたクリップ形先端保持部５００、帯状形先端保持部６００を用いてもよい。
【００３３】
なお、湾曲可能アーム棒２５については、伸び縮みする伸縮可能なアーム棒とすることもできる。
【実施例５】
【００３４】
スライドアーム式棒灸保持具８００は、図８のように、棒灸を固定台に固定するのではなく、固定台３０と、スライド式のアーム部８５０と、アーム部８５０の先端に取り付けられたU字形先端保持部４００によって構成される。
【００３５】
アーム部８５０について説明する。アーム部８５０は、L字形アーム板９、蝶ネジ１０a、蝶ネジ１０d、蝶ネジ１０e、取り付けネジ１２、ネジ止め１８a、スライドアーム固定台３０、左右調節スライド板３１、スライドの高さ調節止め板３２、固定台取り付け板３５、スライド棒３６、スライド棒安定板３７、によって構成される。
【００３６】
スライド棒３６に沿って、スライドの高さ調節止め板３２を上下し、高さをおおまかに調節し固定する。次に、左右調節スライド板３１を左右に移動し、固定する。次に、L字形アーム板９を蝶ネジ１０aを支点にして水平に回転させ固定する。さらに、L字形アーム板９の先端部分に取り付けられたU字形先端保持部４００の角度を微調整して、正確なツボの位置になるように棒灸１の位置を決め、固定して燃焼部２で施灸する。
【００３７】
アーム部８５０の先端部分に取り付けるU字形先端保持部４００のかわりに、実施例３の板状アーム式棒灸保持具３００に用いたクリップ形先端保持部５００、帯状形先端保持部６００を用いてもよい。
【００３８】
なお、スライド棒３６は２本の場合で説明したが、１本でも同様の効果を発揮することができる。
【００３９】
なお、バンド式棒灸保持具１００、クリップ式棒灸保持具２００、板状アーム式棒灸保持具３００、湾曲可能アーム式棒灸保持具７００、スライドアーム式棒灸保持具８００に使用される各部品は、不燃性の材質を使用すれば、より安全に使用することもできる。
【００４０】
なお、バンド式棒灸保持具１００、クリップ式棒灸保持具２００、板状アーム式棒灸保持具３００、湾曲可能アーム式棒灸保持具７００、スライドアーム式棒灸保持具８００は、小型で移動し易い程度の大きさとすることが望ましい。
【符号の説明】
【００４１】
１  棒灸
２  燃焼部
３  固定台
４  棒灸挟持バンド
５  リング
６  ベルト
７  クリップ挟持棒
８  棒灸保持用のクリップ
９  L字形アーム板
１０a  蝶ネジ
１０b  蝶ネジ
１０c  蝶ネジ
１０d  蝶ネジ
１０e  蝶ネジ
１１  アーム板
１２  取り付けネジ
１３  固定台
１４  U字形棒灸止め具
１５  棒灸保持板
１７  クリップ形棒灸止め具
１８a  ネジ止め
１８b  ネジ止め
１９  帯状形棒灸止め具
２３  取り付け板
２５  湾曲可能アーム棒
３０  スライドアーム固定台
３１  左右調節スライド板
３２  スライドの高さ調節止め板
３５  固定台取り付け板
３６  スライド棒
３７  スライド棒安定板
１００  バンド式棒灸保持具
２００  クリップ式棒灸保持具
３００  板状アーム式棒灸保持具
３５０  アーム部
４００  U字形先端保持部
５００  クリップ形先端保持部
６００  帯状形先端保持部
７００  湾曲可能アーム式棒灸保持具
７５０  アーム部
８００  スライドアーム式棒灸保持具
８５０  アーム部
【要約】
【課題】いままでの棒状もぐさの使用方法では、施術者または患者自身が保持していたが、棒灸を固定台に固定することにより、長時間の施灸を可能にし、施灸効果を高めることができる棒灸保持具を提供する。
【解決手段】固定台３に棒灸１を直接取り付けるシート状の棒灸挟持バンド４と、棒灸挟持バンド４を固定台３に固定するための複数のベルト６とから構成されている。
【選択図】図１【図１】
0005624236.tif 000002
【図２】
0005624236.tif 000003
【図３】
0005624236.tif 000004
【図４】
0005624236.tif 000005
【図５】
0005624236.tif 000006
【図６】
0005624236.tif 000007
【図７】
0005624236.tif 000008
【図８】
0005624236.tif 000009